(57)【特許請求の範囲】
【請求項１】
室内側を折込み側として枠体に開閉自在に取り付けられた折戸本体の戸先側端部に、室内側に臨んで内ハンドルを、室外側に臨んで外ハンドルをそれぞれ取り付けた折戸におけるハンドルの取付構造において、
前記内ハンドルは、基端部を前記戸先側の回動中心より戸尻側に位置して当該戸先側端部に取り付けられ、且つ先端部にグリップ部を有して戸尻側に延在し、前記外ハンドルは、基端部を前記戸先側の回動中心より戸尻側に位置して当該戸先側端部に取り付けられ、且つ先端部にグリップ部を有して戸先側に延在していることを特徴とする折戸におけるハンドルの取付構造。
【請求項２】
前記内外各ハンドルは、見付け方向において前記折戸本体に沿うように延在していることを特徴とする請求項１に記載の折戸におけるハンドルの取付構造。
【請求項３】
前記各グリップ部は、鉛直方向に延在しており、
前記内ハンドルのグリップ部と前記外ハンドルのグリップ部とは、前記戸先側の回動中心に対し１８０°点対称位置に配設されていることを特徴とする請求項１または２に記載の折戸におけるハンドルの取付構造。
【請求項４】
前記各グリップ部は、鉛直方向に延在しており、
且つ鉛直軸廻りに自由回転可能に構成されていることを特徴とする請求項１、２または３に記載の折戸におけるハンドルの取付構造。
【請求項５】
請求項１ないし４のいずれかに記載の折戸におけるハンドルの取付構造を、備えたことを特徴とする折戸。
【請求項６】
前記折戸本体の戸先側に位置して前記枠体に開閉自在に取り付けられ、前記折戸本体と親子扉関係を為す子扉体を、備えたことを特徴とする請求項５に記載の折戸。
【請求項７】
見付け方向において、前記外ハンドルのクリップ部は、前記子扉体の幅内に位置していることを特徴とする請求項６に記載の折戸。
【発明の詳細な説明】
【０００１】
【発明の属する技術分野】
本発明は、浴室等に設けた折戸の内外に大型のハンドルを取り付けた折戸におけるハンドルの取付構造およびこれを備えた折戸に関する。
【０００２】
【従来の技術】
従来、この種の大型のハンドルを取り付けた折戸として、例えば特開平１１−２９３９７１号公報に記載のものが知られている。この折戸は、いわゆる２枚折戸であり、枠体と、枠体に開閉自在に設けられた折戸本体とで構成され、室内側に折り込むようにして開放される。折戸本体の戸先側端部には、室内側に内ハンドルが、室外側に外ハンドルがそれぞれ取り付けられており、内ハンドルは折戸本体の見付け方向に沿って戸尻側に延在し、外ハンドルは折戸本体の見付け方向に沿って戸先側に延在している。
この場合、折戸本体における戸先側扉体の回動中心（スライド部）は、内外両ハンドルの取付け位置より戸尻側に位置しており、内ハンドルでは、押し動作から折込み動作に移行することで折戸本体が開放し、外ハンドルでは、引き動作から折込み動作に移行することで折戸本体が開放するようになっている。
【０００３】
【発明が解決しようとする課題】
ところで、折戸の開閉動作において特に初期開放動作では、レールからラッチを外す必要があるため、比較的大きな開放力が必要となり且つ力加減が難しい問題がある。これに対し、上記従来の折戸では、大型のハンドルを用いることおよび戸先側扉体の回動中心を戸尻側に十分に寄せて位置させることで、上記の問題を解決している。
しかし、このような従来の構成では、折り畳んだ折戸本体が室外側に大きく突出してしまうだけでなく、初期開放動作において、内ハンドルでは押し動作を、外ハンドルでは引き動作を行う必要がある。このため、使用者にとって押し引きの動作を誤り易く、開放動作が極めて煩雑になる問題があった。
【０００４】
本発明は、初期開放動作を、内外両ハンドルのいずれも引き動作で且つ比較的小さな力で行うことができる折戸におけるハンドルの取付構造およびこれを備えた折戸を提供することを目的とする。
【０００５】
【課題を解決するための手段】
本発明の折戸におけるハンドルの取付構造は、室内側を折込み側として枠体に開閉自在に取り付けられた折戸本体の戸先側端部に、室内側に臨んで内ハンドルを、室外側に臨んで外ハンドルをそれぞれ取り付けた折戸におけるハンドルの取付構造において、内ハンドルは、基端部を戸先側の回動中心より戸尻側に位置して戸先側端部に取り付けられ、且つ先端部にグリップ部を有して戸尻側に延在し、外ハンドルは、基端部を戸先側の回動中心より戸尻側に位置して戸先側端部に取り付けられ、且つ先端部にグリップ部を有して戸先側に延在していることを特徴とする。
【０００６】
この構成によれば、内ハンドルは戸尻側に延在し、逆に外ハンドルは戸先側に延在している。また、内外両ハンドルは、共に戸先側端部の回動中心より戸尻側に取り付けられている。このため、内外両ハンドルを引くことで、回動中心を支点として、折戸本体に折込み力を直接作用させることができ、初期開放動作を円滑に行うことができる。また、内ハンドルでは、引き動作から折込み動作に移行することで折戸本体を開放することができ、同様に外ハンドルでも、引き動作から折込み動作に移行することで折戸本体を開放することができる。したがって、最も開放力を要する初期開放動作において、内外両ハンドルのいずれも、引き動作でこれを開放することができる。特に、引き動作は、押し動作に比して力を加え易く、室内側および室外側において、同一の且つ自然な引き動作でこれを開放することができ、使用者をして、室内外で折戸本体の開放動作を迷うことがない。しかも、内ハンドルは戸尻側に延在し且つ外ハンドルは戸先側に延在しているため、テコの作用により折戸本体を比較的小さな力で初期開放することができる。
【０００７】
この場合、内外各ハンドルは、見付け方向において折戸本体に沿うように延在していることが、好ましい。
【０００８】
この構成によれば、完全開放状態の折戸本体に対し、内外両ハンドルがほぼ平行になるように位置するため、内外両ハンドルが折戸本体に干渉するのを有効に防止することができる。また、完全閉塞状態の折戸本体に対し、内外両ハンドルが見込み方向に大きく突出することがないため、両ハンドルが邪魔になることがない。なお、グリップ部と折戸本体の表面との間には、少なくともグリップ部を把持した手が折戸本体に触れない程度の間隙を設けることが、好ましい。
【０００９】
これらの場合、各グリップ部は、鉛直方向に延在しており、内ハンドルのグリップ部と外ハンドルのグリップ部とは、戸先側の回動中心に対し１８０°点対称位置に配設されていることが、好ましい。
【００１０】
この構成によれば、内ハンドルと外ハンドルとの間において、それぞれの力点（グリップ部）と作用点（回動中心）とが同一の距離となるため、室内側から内ハンドルを握って折戸本体を開放する場合と、室外側から外ハンドルを握ってこれを開放する場合とで、まったく同一の開放力でこれを開放することができる。
【００１１】
これらの場合、各グリップ部は、鉛直方向に延在しており、且つ鉛直軸廻りに自由回転可能に構成されていることが、好ましい。
【００１２】
この構成によれば、内外両ハンドルは、引き動作から折込み動作に移行することで折戸本体を開放し、これと逆動作で折戸本体を閉塞するが、引き動作から折込み動作への移行などにおいて、グリップ部が自在に回転するため、クリップ部を握り直す必要がなく、折戸本体に対し、開放力を連続的に且つ効率よく作用させることができる。したがって、内外両ハンドルの操作性を向上させることができ、折戸本体を円滑に開閉することができる。
【００１３】
本発明の折戸は、請求項１ないし４のいずれかに記載の折戸におけるハンドルの取付構造を、備えたことを特徴とする。
【００１４】
この構成によれば、折戸本体を比較的小さい力で且つ室内外において同一の開閉動作で、折戸本体を円滑に開閉することができる。
【００１５】
この場合、折戸本体の戸先側に位置して枠体に開閉自在に取り付けられ、折戸本体と親子扉関係を為す子扉体を、備えることが好ましい。
【００１６】
この構成によれば、折戸本体のみを開放した通常の有効開口幅と、折戸本体および子扉体を開放した広い有効開口幅とを得ることができ、必要に応じて開口幅を調節することができる。
【００１７】
この場合、見付け方向において、外ハンドルのクリップ部は、子扉体の幅内に位置していることが、好ましい。
【００１８】
この構成によれば、子扉体側に延在する外ハンドルを子扉体の幅内に収めることで、外ハンドルの先端部に設けたグリップ部が室外側の側壁等と干渉するのを、有効に防止することができる。
【００１９】
【発明の実施の形態】
以下、添付図面を参照して、本発明の一実施形態に係る折戸におけるハンドルの取付構造およびこれを備えた折戸を、浴室の開口部に設置した折戸を例に説明する。この浴室は、介護者を伴う出入りを考慮し、必要に応じてその有効開口幅を比較的広くとれるようにしたものであり、且つ折戸の開閉を比較的小さな力で簡単に開閉できるようにしたものである。図１は、脱衣室側から見た折戸の姿図であり、同図に示すように、折戸１は、枠体２と、枠体２に開閉自在に装着した折戸本体３および子扉体４とで構成されている。
【００２０】
枠体２は、それぞれがアルミニウムの押出し形材などからに成る上枠５、下枠６および両縦枠７，７を枠組みして、構成されている。この場合、下枠６に対し浴室床Ａａと脱衣室床Ｂａとは、ほぼ段差無く（上面がほぼ面一）配設されており、いわゆるバリアフリー設計となっている（図４参照）。また、下枠６の下側には、下枠６に沿って排水樋８が配設されており、排水樋８は、浴室床（防水パン）Ａａに支持されている。排水樋８には、排水管９が接続されており、後述する下シール片５２，５３から漏れた排水が下枠６からこの排水樋８に導かれ、排水管９に流入するようになっている（図４参照）。
【００２１】
折戸本体３と子扉体４とは親子扉の関係にあり、折戸本体３は幅広に、子扉体４は幅狭に形成されている。折戸本体３は、図示左部の縦枠７側端部を基端として、浴室Ａ側に折り込まれることで開放され、子扉体４は、図示右部の縦枠７側端部を基端として、浴室Ａ側に回動させることで開放される。この場合、通常の使用形態では、子扉体４を閉塞した状態とし折戸本体３のみを開閉するが、車椅子などの出入りのために広い開口幅を必要とする場合には、折戸本体３および子扉体４を開放するようになっている。
【００２２】
折戸本体３は、戸先側扉体１０および戸尻側扉体１１を突き合わせ、連結金具１２を介して折曲げ自在に連結して、構成されている。戸先側扉体１０の戸先側端部には、浴室Ａ側に臨んで内ハンドル１３が設けられと共に、これに対応して脱衣室Ｂ側に臨んで外ハンドル１４が設けられている（図２参照）。この内外両ハンドル１３，１４は、バリアフリーを考慮して大型に形成されていると共に、上下方向において幾分下部寄りに配設されている。一方、開閉頻度の少ない子扉体４にも、ハンドルやノブなどを設けてもよいが、本実施形態では設けない構成としている。
【００２３】
図１ないし図４に示すように、枠体２の上枠５は、脱衣室Ｂ側に上枠シール取付部２２を有する上枠本体２１と、上枠本体２１の見込み方向の中間位置に垂設した上ガイドレール２３とで、一体に形成されている。上枠シール取付部２２には、各扉体１０，１１，４の上框（後述する）４１，４１，６１に密接する上枠シール部材２４が取り付けられている。
【００２４】
下枠６は、脱衣室Ｂ側に下枠シール取付部２７を有し浴室Ａ側で排水樋８の上側に臨む下枠本体２６と、下枠本体２６の浴室Ａ側と浴室床Ａａとの間に掛け渡した下枠アタッチメント２８とで構成されている。下枠本体２６には、上記の上ガイドレール２３に対向する下ガイドレール２９が一体に形成され、また下枠シール取付部２７には、各扉体８，９，４の下框（後述する）４２，４２，６２に密接する下枠シール部材３０が取り付けられている。一方、下枠アタッチメント２８は排水樋８の上開口部を閉塞するように配設されており、左右の側端部に設けた手掛け部３１により、上側に取り外し得るようになっている。これにより、排水樋８の清掃が可能になる。
【００２５】
左右の各縦枠７は、見込み方向に延びる中空部３４を有する縦枠本体３３と、脱衣室Ｂ側において縦枠本体３３の内面に突設した縦枠シール取付片３５とで、一体に形成されている。そして、一方の縦枠シール取付片３５には、戸尻縦框（後述する）４６に向かって延びる縦枠シール部材３６が、他方の縦枠シール取付片３６には、小扉戸尻縦框（後述する）６４に向かって延びる縦枠シール部材３６が、それぞれ取り付けられている。
【００２６】
戸先側扉体１０は、それぞれがアルミニウムの押出し形材などからに成る上框４１および下框４２と、戸先縦框（召合わせ縦框）４３および連結縦框４４とを框組みすると共に、これにパネル体４５を嵌め込んで構成されている。同様に、戸尻側扉体１１は、それぞれがアルミニウムの押出し形材などからに成る上框４１および下框４２と、戸尻縦框４６および連結縦框４４とを框組みすると共に、これにパネル体４５を嵌め込んで構成されている。
【００２７】
そして、戸先側扉体１０の戸先縦框４３には、その室内外に上記の内ハンドル１３および外ハンドル１４がそれぞれ取り付けられている（詳細は後述する。）。また、戸先側扉体１０の連結縦框４４には、戸先側に延びる補助ハンドル４８が取り付けられている。さらに、戸先側扉体１０の連結縦框４４には、その上端部に浴室Ａ側から操作可能な折戸ロック機構４９が組み込まれる一方、戸尻側扉体１１の連結縦框４４には、その上下両端部にそれぞれ折戸ラッチ機構５０，５０が組み込まれている。
【００２８】
また、各扉体１０，１１の下框４２には、室内外を連通する換気ガラリ５１が形成されている。なお、図３中の符号５２および５３は、それぞれ下框４２および連結金具１２に設けた下シール片であり、両下シール片５２，５３は、下ガイドレール２９に密接するようになっている。この下シール片５２，５３を含んで折戸本体３には、その四周に連続するようにシール片が設けられ、同様に子扉体４にも、その四周に連続するようにシール片が設けられている。
【００２９】
さらに、戸先縦框４３には、その上下両端部にそれぞれヒンジピンＰを一体に形成した戸先上スライダ５５ａおよび戸先下スライダ５５ｂが、回動自在に組み込まれている。同様に、戸尻縦框４６には、その上下両端部にそれぞれヒンジピンＰを一体に形成した戸尻上スライダ５６ａおよび戸尻下スライダ５６ｂが、回動自在に組み込まれている。戸先上スライダ５５ａおよび戸先下スライダ５５ｂは、それぞれ上ガイドレール２３および下ガイドレール２９にスライド自在に係合しており、戸先側扉体１０の開閉をガイドしている。また、戸尻上スライダ５６ａおよび戸尻下スライダ５６ｂは、それぞれ上ガイドレール２３および下ガイドレール２９に係合し且つこの状態で位置規制され、戸尻側扉体１１の開閉（回動のみ）をガイドしている。
【００３０】
すなわち、戸尻上スライダ５６ａおよび戸尻下スライダ５６ｂは、上下両ガイドレール２３，２９にスライドを規制された状態で固定されている。これにより、折戸本体３は、上記両スライダ５５ａ，５５ｂ，５６ａ，５６ｂのヒンジピンＰを中心に、戸先側扉体１０および戸尻側扉体１１が横に直線状に並んだ状態と、戸尻側扉体１１に戸先側扉体１０を重ねるように浴室Ａ側に折り畳たまれた状態との間で、開閉動作される。
【００３１】
小扉体４は、それぞれがアルミニウムの押出し形材などからに成る小扉上框６１および小扉下框６２と、小扉戸先縦框（子扉召合わせ縦框）６３および小扉戸尻縦框６４とを框組みすると共に、これに縦長のパネル体６５を嵌め込んで構成されている。また、小扉下框６２には、戸先側扉体１０や戸尻側扉体１１に倣って換気ガラリ６６が形成されている（図１参照）。
【００３２】
また、小扉戸先縦框６３には、その上端部に子扉ラッチ機構６８が、下端部には端部キャップ６９がそれぞれ組み込まれている（いずれも詳細は後述する）。また、小扉戸尻縦框６４には、その上下両端部にそれぞれヒンジピンＰを有する子扉上スライダ７０ａおよび子扉下スライダ７０ｂが組み込まれ、且つ子扉上スライダ７０ａには、子扉体４を枠体２から離脱させるヒンジ離脱機構７１が一体に組み込まれている（詳細は後述する）。
【００３３】
子扉上スライダ７０ａおよび子扉下スライダ７０ｂは、それぞれ上ガイドレール２３および下ガイドレール２９に係合し、且つこの状態で不動に固定されている。これにより、子扉体４は、上下両スライダ７０ａ，７０ｂのヒンジピンＰを中心に、開き戸形式で浴室Ａ側に開放される。また、子扉体４は、上ガイドレール２３に係止した子扉ラッチ機構６８により、閉塞状態を規制されるようになっている。なお、操作は面倒であるが、このラッチ機構６８に代えて、折戸本体３のロック機構５０と同様の機構やフランス落しを設けるようにしてもよい。
【００３４】
次に、図５を参照して、折戸本体３と子扉体４の召合せ部分（突合せ部分）の構造と、内外両ハンドル１３，１４廻りの構造について説明する。折戸本体３と子扉体４とは、折戸本体３の戸先縦框４３と子扉体４の子扉戸先縦框６３とを、突き当てることにより閉塞される。この場合、戸先縦框４３の突合せ端部４３ａは断面半円状の凸形状に形成されており、これに対応して、子扉戸先縦框６３の突合せ端部６３ａはこれと略相補的な断面形状となる凹形状に形成されている。また、戸先縦框４３の突合せ端部４３ａには浴室Ａ側に位置して戸先内シール片５８が、子扉戸先縦框６３の突合せ端部６３ａには脱衣室Ｂ側に位置して戸先外シール片７３がそれぞれ取り付けられ、浴室Ａと脱衣室Ｂとが二重にシールされている。
【００３５】
この場合、凸形状に形成された戸先縦框４３の突合せ端部４３ａは、凹形状に形成された子扉戸先縦框６３の突合せ端部６３ａに嵌り込むように係合するため、閉塞状態から、折戸本体３のみの開放は許容されるが、子扉体４のみの開放は阻止される。すなわち、折戸本体３を開放した状態でのみ、子扉体４が開放できる構造になっている。これにより、閉塞状態から子扉体４のみ開放されるのを、防止している。
【００３６】
一方、内ハンドル１３は、戸先縦框４３の浴室Ａ側の見付け面に取り付けられ、外ハンドル１４は、戸先縦框４３の脱衣室Ｂ側の見付け面に取り付けられている。図５および図６に示すように、内外両ハンドル１３，１４は、基端部を戸先縦框４３の見付け面にねじ止めされる上下一対のアーム部８１，８１と、両アーム部８１，８１の先端部に渡したグリップ部８２とを有している。内ハンドル１３のアーム部８１は、戸先縦框４３から戸先側扉体１０に沿うように斜め戸尻側に向かって延在する一方、外ハンドル１４のアーム部８１は、戸先縦框４３から子扉体４に沿うように斜め戸先側、すなわち子扉体４の戸尻側に向かって延在している。
【００３７】
グリップ部８２は、両端部を両アーム部８１，８１の先端部にそれぞれ固定され、この先端部同士を連結するように設けたロッド状軸部８３と、ロッド状軸部８３に回転自在に軸支されたグリップ本体８４とで構成されている。ところで実施形態のように、戸先側に設けた内外両ハンドル１３，１４で折戸本体３を開閉するものでは、開閉の動作過程において、ハンドル１３，１４に加える力の方向が微妙に変化すると共に、ハンドル１３，１４自体の角度が変化する。この変化に対し、グリップ本体８４が自由回転することで、ユーザはグリップ本体８４を握り直す必要が無く、折戸本体３を円滑に開閉させることができる。
【００３８】
このように構成された内外両ハンドル１３，１４は、戸先縦框４３に組み込んだ上下両スライダ５５ａ，５５ｂのヒンジピンＰ、すなわち戸先側扉体１０の回動中心より戸尻側に寄った位置において、戸先縦框４３を挟んで対峙するように取り付けられている。また、力点となるグリップ部８２と作用点となるヒンジピンＰとの中心間距離が、内ハンドル１３と外ハンドル１４とで同一距離になるように構成されている。このため、内ハンドル１３に対し外ハンドル１４は、そのアーム部８１の長さが幾分長く形成されている。
【００３９】
したがって、折戸本体３を開閉、特に折戸本体３の初期開放動作において、浴室Ａ側から開放操作する場合も、脱衣室Ｂ側から開放操作する場合も、まったく同一の力加減で、これを開放することができる。また。折戸本体３の初期開放動作において、内ハンドル１３ではこれを手前に引くことにより、また外ハンドル１４でもこれを手前に引くことにより、戸先側扉体１０がヒンジピンＰを中心にこじられるようにして、折込み動作が開始される。
【００４０】
すなわち、アーム部８１の長い内外両ハンドル１３，１４におけるテコの作用と、ヒンジピンＰに対する内外両ハンドル１３，１４の取付位置とにより、開放のために加える力を効率よく折戸ラッチ機構５０の係止解除に作用させるようにしている。また、内外両ハンドル１３，１４において、折戸本体３の初期開放動作を、いずれも人間工学的に最も動作し易い引き動作とすることで、操作の誤りを防止し且つ操作し易いものとしている。さらに、内外両ハンドル１３，１４は、折戸本体３や子扉体４に沿うように延在しているため、折戸本体３および子扉体４を閉塞した状態で、見込み方向に大きく突出することがなく、且つ開放状態で開口部分に大きく突出することがない。
【００４１】
次に、図７および図８参照して、子扉体４の子扉戸先縦框６３に組み込んだ端部キャップ６９および子扉ラッチ機構６８について説明する。図７に示すように、端部キャップ６９は、子扉戸先縦框６３の下端に突き当てられるベースプレート部９１と、子扉戸先縦框６３の下端部に嵌入される嵌入部９２と、ベースプレート部９１の下面に縦断するように突設した部分シール片９３とで構成されている。ベースプレート部９１は、子扉戸先縦框６３の断面形状と相似形の平面形状を有しており、子扉戸先縦框６３の下端に突き当てた状態で、下側からねじ止めされている。部分シール片９３は、子扉下框６２に設けた下シール片５２と、端部を重ねて連続するように設けられている。
【００４２】
図８に示すように、子扉ラッチ機構６８は、上ガイドレール２９に係脱するラッチ突起９５と、ラッチ突起９５を保持するラッチホルダ９６と、ラッチホルダ９６に収容されラッチ突起９５を付勢するばね（図示省略）とで構成されている。また、ラッチホルダ９６は、子扉戸先縦框６３の上端に突き当てられるベースプレート部９７と、子扉戸先縦框６３の上端部に嵌入される嵌入ケース部９８とで一体に形成されている。そして、この場合も、ベースプレート部９７は、子扉戸先縦框６３の断面形状と相似形の平面形状を有しており、子扉戸先縦框６３の上端に突き当てた状態で、上側からねじ止めされている。
【００４３】
ラッチ突起９５は、見込み方向において円弧斜面９５ａと直線斜面９５ｂを有して、断面山形に形成されており、上ガイドレール２９に対し、直線斜面９５ｂを介して係止し、円弧斜面９５ａを介して離脱する。すなわち、係止し易く且つ離脱し難い構造となっている。このように構成された子扉ラッチ機構６８により、子扉体４は閉塞姿勢を規制され、また開放するときは、子扉体４を浴室Ａ側に押す操作だけで、これを開放できるようになっている。
【００４４】
次に、図９を参照しては、子扉体４の子扉戸尻縦框６４に組み込んだヒンジ離脱機構７１について説明する。ヒンジ離脱機構７１は子扉戸尻縦框６４の上端部に組み込まれており、上記の子扉上スライダ７０ａと離脱操作レバー１００とで構成されている。子扉上スライダ７０ａは、上ガイドレール２９に係合するスライダ本体１０１と、スライダ本体１０１に組み込んだ戸車１０２と、スライダ本体１０１の下端に連なる係合円板部１０３と、スライダ本体１０１の下端から下方に延びる上記のヒンジピンＰと、ヒンジピンＰに巻回されスライダ本体１０１を上方に付勢するコイルばね１０４と、これら構成部品を収容するケース１０５とで構成されている。
【００４５】
ケース１０５は、子扉戸尻縦框６４の上端部に上側から嵌入固定され、このケース１０５に対しスライダ本体１０１がコイルばね１０４により出没自在に付勢されている。なお、上記したように、スライダ本体１０１は、上枠５に固定したストッパブロック等によりスライド不能となっている（図示省略）。したがって、この子扉上スライダ７０ａは子扉下スライダ７０ｂと共に、子扉体４を回動させるヒンジとして機能している。
【００４６】
一方、離脱操作レバー１００は、子扉戸尻縦框６４の脱衣室Ｂ側上端部に形成した上下方向に延びる長穴１０７にスライド自在に取り付けたレバー本体１０８と、レバー本体１０８の内側に突設した離脱ピン１０９とで一体に形成されている。離脱ピン１０９の先端部は、子扉上スライダ７０ａのケース１０５に形成した縦長開口１０５ａを介して、係合円板部１０３の上側に係合している。したがって、離脱操作レバー１００を押し下げるように操作すると、コイルばね１０４に抗してスライダ本体１０１が下動し、スライダ本体１０１が上ガイドレール２９から離脱する。
【００４７】
この状態で、子扉体４を浴室Ａ側に押し込むと、子扉体４は枠体２から外れて浴室Ａ側に離脱する。使用者が浴室Ａ側から折戸ロック機構４９を操作して折戸本体３をロックした後、不測の事態が発生して浴室Ａ内の使用者を脱衣室Ｂ側から救助する必要が生じた場合には、このヒンジ離脱機構７１を操作して子扉体４を外し、子扉体４の開口部分から救助活動を行うようになっている。もちろん、折戸本体３の戸尻縦框４６に同様のヒンジ離脱機構を設けて、折戸本体３も離脱可能としてもよいが、子扉体４は小型軽量であり且つ折曲げ部分がないため、離脱が容易で且つ離脱後の移動なども簡単に行うことができる。
【００４８】
以上のように本実施形態によれば、大型の内ハンドル１３および外ハンドル１４を、相互に逆方向となる斜め見付け方向に延在させて設けるようにしているため、いずれも最も力の入れやすい引き動作で且つ小さい力で、これを初期開放動作させることができる。したがって、折戸本体３を、無理なく円滑に開閉することができる。また、折戸本体３に加えてこれと親子扉関係を為す子扉体４を設けるようにしているため、通常の出入りに支障を生ずることなく、必要に応じて開口部を広く開放することができる。
【００４９】
なお、本実施形態では、本発明の折戸を浴室の折戸について説明したが、シャワー室等のいわゆる水場をはじめ、各種の折戸に適用できることは、いうまでもない。また、本発明のハンドルの取付構造は、子扉体の無い通常の折戸にも適用できることは、いうまでもない。
【００５０】
【発明の効果】
以上のように本発明の折戸におけるハンドルの取付構造およびこれを備えた折戸によれば、内外両ハンドルが戸先側端部の回動中心より戸尻側に取り付けられると共に、内ハンドルは戸尻側に外ハンドルは戸先側に延在しているため、初期開放動作において、内外両ハンドルのいずれも、引き動作で且つ折込み力を作用させてこれを開放することができる。また、テコの作用により折戸本体を比較的小さな力で初期開放することができる。したがって、折戸本体を無理なく円滑に開放することができ、その操作性を向上させることができる。
【図面の簡単な説明】
【図１】本発明の一実施形態に係る折戸の浴室側から見た姿図である。
【図２】実施形態に係る折戸の閉塞状態の横断面図である。
【図３】実施形態に係る折戸の開放状態の横断面図である。
【図４】実施形態に係る折戸の縦断面図である。
【図５】実施形態に係る内外両ハンドル廻りの拡大横断面図である。
【図６】内外各ハンドルの構造図である。
【図７】子扉体の子扉戸先縦框に組み込んだ端部キャップの構造図である。
【図８】子扉体の子扉戸先縦框に組み込んだ小扉ラッチ機構の構造図である。
【図９】子扉体の子扉戸尻縦框に組み込んだヒンジ離脱機構の分解斜視図である。
【符号の説明】
１  折戸、２  枠体、３  折戸本体、４  小扉体、５  上枠、６  下枠、７  縦枠、１０  戸先側扉体、１１  戸尻側扉体、１３  内ハンドル、１４  外ハンドル、２３  上ガイドレール、２９  下ガイドレール、４３  戸先縦框、４３ａ突合せ端部、４６  戸尻縦框、５５ａ  戸先上スライダ、５５ｂ  戸先下スライダ、６３  子扉戸先縦框、６３ａ  突合せ端部、６４  子扉戸尻縦框、６８  子扉ラッチ機構、７０ａ  子扉上スライダ、７０ｂ  子扉下スライダ、７１  ヒンジ離脱機構、８１  アーム部、８２  グリップ部、１００  離脱操作レバー、Ａ  浴室、Ａａ  浴室床、Ｂ  脱衣室、Ｂａ  脱衣室床、Ｐ  ヒンジピン
【図１】
0003572454.tif 000002
【図２】
0003572454.tif 000003
【図３】
0003572454.tif 000004
【図４】
0003572454.tif 000005
【図５】
0003572454.tif 000006
【図６】
0003572454.tif 000007
【図７】
0003572454.tif 000008
【図８】
0003572454.tif 000009
【図９】
0003572454.tif 000010